(57)【要約】【課題】上り回線のみで広帯域伝送を行う場合でも、端末の消費電力を低減すること。【解決手段】設定部１０１は、複数の上り単位バンドおよび複数の上り単位バンドよりも少ない数の特定の下り単位バンドを使用して通信する端末２００に対して、複数の上り単位バンド毎に互いに異なる端末ＩＤを設定し、制御部１０２は、複数の上り単位バンド毎のリソース割当情報を、特定の下り単位バンドに配置されたＰＤＣＣＨにそれぞれ割り当て、ＰＤＣＣＨ生成部１０３は、複数の上り単位バンド毎のリソース割当情報を、複数の上り単位バンド毎に設定された端末ＩＤでそれぞれマスキングすることにより、ＰＤＣＣＨ信号を生成する。【選択図】図１
2014147136.tif 000002
【特許請求の範囲】
【請求項１】
複数のcomponent carrierが設定された端末に、それぞれが、前記複数のcomponent carrierのそれぞれにおいて割り当てられたリソースを示すリソース割当情報を含む、複数の制御情報を生成する生成部と、
前記複数の制御情報のそれぞれを、前記リソース割当情報が示すリソースが割り当てられたcomponent carrier毎に設定されたサーチスペースで、前記端末に送信する送信部と、
を有する通信装置。
【請求項２】
前記送信部は、設定された前記複数のcomponent carrierのうち、特定のcomponent carrierで、前記複数の制御情報を送信する、
請求項１に記載の通信装置。
【請求項３】
前記リソース割当情報は、前記component carrierにおいて割り当てられた上りリソースを示す、
請求項１又は２に記載の通信装置。
【請求項４】
前記リソース割当情報は、前記component carrierにおいて割り当てられた下りリソースを示す、
請求項１又は２に記載の通信装置。
【請求項５】
前記端末に複数の上りcomponent carrierと、前記複数の上りcomponent carrierの数よりも少ない数の一つ又は複数の下りcomponent carrierが設定され、
前記送信部は、前記複数の制御情報であって、それぞれが、前記複数の上りcomponent carrierのそれぞれにおいて割り当てられた上りリソースを示す前記複数の制御情報を、設定された前記一つ又は複数の下りcomponent carrierのうち、特定の下りcomponent carrierで送信する、
請求項１から４のいずれかに記載の通信装置。
【請求項６】
前記送信部は、複数のコントロール・チャネル・エレメント（ＣＣＥ）から構成されるサーチスペースであって、前記component carrierに特定のサーチスペース内のＣＣＥで、前記制御情報を送信する、
請求項１から５のいずれかに記載の通信装置。
【請求項７】
複数のcomponent carrierが設定された端末に、前記複数のcomponent carrierのそれぞれにおいてリソースを割り当て、
それぞれが、前記複数のcomponent carrierのそれぞれにおいて割り当てられた前記リソースを示すリソース割当情報を含む、複数の制御情報を生成し、
前記複数の制御情報のそれぞれを、前記リソース割当情報が示すリソースが割り当てられたcomponent carrier毎に設定されたサーチスペースで、前記端末に送信する、
制御情報送信方法。
【請求項８】
複数のcomponent carrierが設定された端末に、前記複数のcomponent carrierのそれぞれにおいてリソースを割り当てる処理と、
それぞれが、前記複数のcomponent carrierのそれぞれにおいて割り当てられた前記リソースを示すリソース割当情報を含む、複数の制御情報を生成する処理と、
前記複数の制御情報のそれぞれを、前記リソース割当情報が示すリソースが割り当てられたcomponent carrier毎に設定されたサーチスペースで、前記端末に送信する処理と、
を制御する集積回路。
【発明の詳細な説明】
【技術分野】
【０００１】
本発明は、通信装置、制御情報送信方法および集積回路に関する。
【背景技術】
【０００２】
３ＧＰＰ−ＬＴＥ(3rd Generation Partnership Project Radio Access Network Long Term Evolution)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。
【０００３】
ＬＴＥでは、無線通信基地局装置（以下、基地局と省略する）はシステム帯域内のリソースブロック（Resource Block：ＲＢ）を、サブフレームと呼ばれる時間単位毎に無線通信端末装置（以下、端末と省略する）に割り当てることにより通信を行う。また、基地局は下り回線データおよび上り回線データのリソース割当結果を通知するための制御情報を端末へ送信する。この制御情報は例えばＰＤＣＣＨ（Physical Downlink Control Channel）等の下り回線制御チャネルを用いて端末へ送信される。なお、ＬＴＥでは、システム帯域幅として最大２０ＭＨｚの幅を持つ周波数帯域がサポートされる。
【０００４】
また、基地局は１サブフレームに複数の端末を割り当てるため、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して自端末宛のＰＤＣＣＨを検出する。
【０００５】
また、ＬＴＥよりも更なる通信の高速化を実現する３ＧＰＰ  ＬＴＥ−Ａｄｖａｎｃｅｄの標準化が開始された。ＬＴＥ−Ａｄｖａｎｃｅｄでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ＋端末という）が導入される見込みである。また、ＬＴＥ−Ａｄｖａｎｃｅｄシステムは、ＬＴＥ＋端末のみでなく、ＬＴＥシステムに対応する端末（以下、ＬＴＥ端末という）を収容することが要求されている。
【０００６】
また、ＬＴＥ−Ａｄｖａｎｃｅｄでは、複数の周波数帯域を連結して通信するバンドアグリゲーション（Band aggregation）方式が提案されている。ここでは、２０ＭＨｚの幅を持つ周波数帯域が通信帯域の基本単位(以下、単位バンド（component band）という)とされている。よって、ＬＴＥ−Ａｄｖａｎｃｅｄでは、例えば、２つの単位バンドを連結することにより４０ＭＨｚのシステム帯域幅を実現する。
【０００７】
また、ＬＴＥ−Ａｄｖａｎｃｅｄでは、上り回線における単位バンド（以下、上り単位バンドという）および下り回線における単位バンド（以下、下り単位バンドという）を１対１で対応付けることが考えられている（例えば、非特許文献４）。すなわち、基地局は、各単位バンドのリソース割当情報を、各単位バンドの下り単位バンドを用いて端末に通知する。例えば、４０ＭＨｚの広帯域伝送を行う端末（２つの単位バンドを使用する端末）は、２つの単位バンドのリソース割当情報を、各単位バンドの下り単位バンドに配置されたＰＤＣＣＨを受信することにより得る。よって、ＬＴＥ−Ａｄｖａｎｃｅｄシステムでは、１つの単位バンドを使用する場合（例えば、２０ＭＨｚ帯域対応のＬＴＥ端末と通信する場合）および複数の単位バンドを使用する場合（例えば、４０ＭＨｚ帯域対応のＬＴＥ＋端末と通信する場合）のいずれであっても、基地局は、単位バンド毎にリソース割当情報を端末に通知することができる。つまり、基地局ではＬＴＥ端末およびＬＴＥ＋端末に対して同一の通知方法を用いることができるため、簡素なシステムを構成することができる。
【先行技術文献】
【非特許文献】
【０００８】
【非特許文献１】3GPP TS 36.211 V8.3.0, “Physical Channels and Modulation (Release 8),” May 2008
【非特許文献２】3GPP TS 36.212 V8.3.0, “Multiplexing and channel coding (Release 8),” May 2008
【非特許文献３】3GPP TS 36.213 V8.3.0, “Physical layer procedures (Release 8),” May 2008
【非特許文献４】3GPP TSG RAN WG1 meeting, R1-082468, “Carrier aggregation LTE-Advanced,” July 2008
【発明の概要】
【発明が解決しようとする課題】
【０００９】
端末では、受信信号の周波数帯域幅が広くなるほど、消費電力がより大きくなる。よって、広帯域伝送（例えば、４０ＭＨｚの通信帯域）を行う端末の消費電力は、狭帯域伝送（例えば、２０ＭＨｚの通信帯域）を行う端末の消費電力よりも大きくなる。そこで、データ伝送量（または、伝送速度）に応じて、連結する単位バンドの数を適応的に制御することにより、端末の消費電力を必要最小限に低減することが考えられる。具体的には、データ伝送量が多いほど、連結する単位バンドの数をより多くする。
【００１０】
ここで、ＬＴＥ−Ａｄｖａｎｃｅｄでは、上り回線および下り回線それぞれにおけるデータ伝送量が互いに独立であることも予想される。例えば、上り回線では広帯域伝送（４０ＭＨｚの通信帯域）を行い、下り回線では狭帯域伝送（２０ＭＨｚの通信帯域）を行う場合があり得る。すなわち、例えば、上り回線では２つの上り単位バンドを使用し、下り回線では１つの下り単位バンドのみを使用する場合があり得る。
【００１１】
しかしながら、上記従来技術では、上り単位バンドと下り単位バンドとは、１対１で対応付けられている。つまり、端末の上り回線データを割り当てる上り単位バンドのリソースを示す上りリソース割当情報は、その上り単位バンドに対応付けられた下り単位バンドを用いて通知される。そのため、上り回線のみで広帯域伝送（例えば、４０ＭＨｚの通信帯域）を行う場合、つまり、端末が使用する２つの単位バンドのうち、一方の単位バンドでは上り単位バンドおよび下り単位バンドの双方を使用し、他方の単位バンドでは上り単位バンドのみを使用する場合でも、端末は、各上り単位バンドのリソース割当情報の通知のために、それぞれの上り単位バンドに対応付けられた下り単位バンドを用いてＰＤＣＣＨを受信しなければならない。
【００１２】
例えば、端末が２つの単位バンド（単位バンド１および単位バンド２）を使用する場合について説明する。上り回線のみで広帯域伝送（例えば、４０ＭＨｚの通信帯域）を行う場合、端末は、例えば、上り回線では、単位バンド１および単位バンド２の双方の上り単位バンドを使用することにより広帯域伝送（例えば、４０ＭＨｚの通信帯域）を行う。また、端末は、下り回線では、単位バンド２の下り単位バンドを使用せずに、単位バンド１の下り単位バンドのみを使用することにより、狭帯域伝送（例えば、２０ＭＨｚの通信帯域）を行う。ただし、端末は、単位バンド２の上り単位バンドのリソース割当を示す上りリソース割当情報を、単位バンド２の下り単位バンドに配置されたＰＤＣＣＨを用いて受信しなければならない。よって、端末は、単位バンド２の下り単位バンドをデータ伝送に使用しないにもかかわらず、単位バンド２の下り単位バンドに配置されたＰＤＣＣＨを受信する必要がある。
【００１３】
すなわち、下り回線では狭帯域伝送（例えば、２０ＭＨｚの通信帯域）が行われるにもかかわらず、端末では、下り回線でも広帯域信号（例えば、４０ＭＨｚの通信帯域信号）を受信する必要があるため、端末の消費電力が増大してしまう。
【００１４】
本発明の目的は、上り回線のみで広帯域伝送を行う場合でも、端末の消費電力を低減することができる通信装置、制御情報送信方法および集積回路を提供することである。
【課題を解決するための手段】
【００１５】
本発明の一態様に係る基地局は、複数の上り単位バンドおよび前記複数の上り単位バンドよりも少ない数の特定の下り単位バンドを使用して通信する無線通信端末装置に対して、前記複数の上り単位バンド毎に互いに異なる端末ＩＤを設定する設定手段と、前記複数の上り単位バンド毎のリソース割当情報を、前記特定の下り単位バンドに配置された制御チャネルにそれぞれ割り当てる制御手段と、前記複数の上り単位バンド毎のリソース割当情報を、前記複数の上り単位バンド毎に設定された端末ＩＤでそれぞれマスキングすることにより、制御情報を生成する生成手段と、を具備する構成を採る。
【００１６】
本発明の一態様に係る端末は、複数の上り単位バンドおよび前記複数の上り単位バンドよりも少ない数の特定の下り単位バンドを使用して通信する端末であって、前記特定の下り単位バンドに配置された制御チャネルを、前記複数の上り単位バンド毎に設定された端末ＩＤでデマスキングすることにより、自装置宛ての前記複数の上り単位バンド毎のリソース割当情報を得るブラインド復号手段と、前記複数の上り単位バンド毎のリソース割当情報に従って、上りデータを前記複数の上り単位バンドにマッピングするマッピング手段と、を具備する構成を採る。
【００１７】
本発明の一態様に係る制御情報生成方法は、複数の上り単位バンドおよび前記複数の上り単位バンドよりも少ない数の特定の下り単位バンドを使用して通信する無線通信端末装置に対して、前記複数の上り単位バンド毎に互いに異なる端末ＩＤを設定し、前記複数の上り単位バンド毎のリソース割当情報を、前記特定の下り単位バンドに配置された制御チャネルにそれぞれ割り当てる制御を行い、前記複数の上り単位バンド毎のリソース割当情報を、前記複数の上り単位バンド毎に設定された端末ＩＤでそれぞれマスキングすることにより、制御情報を生成するようにする。
【発明の効果】
【００１８】
本発明によれば、上り回線のみで広帯域伝送を行う場合でも、端末の消費電力を低減することができる。
【図面の簡単な説明】
【００１９】
【図１】本発明の実施の形態１に係る基地局の構成を示すブロック図
【図２】本発明の実施の形態１に係る端末の構成を示すブロック図
【図３】本発明の実施の形態１に係る端末ＩＤの設定を示す図
【図４】本発明の実施の形態１に係る端末ＩＤの設定を示す図
【図５】本発明の実施の形態１に係る各端末に設定する単位バンドおよび端末ＩＤの一例を示す図
【図６】本発明の実施の形態２に係る端末ＩＤの設定を示す図
【図７】本発明の実施の形態２に係る端末ＩＤの設定を示す図
【図８】本発明の実施の形態３に係る端末ＩＤの設定を示す図
【図９】本発明の実施の形態３に係る端末ＩＤの設定を示す図
【図１０】本発明の実施の形態３に係る端末ＩＤの設定処理を示すシーケンス図
【図１１】本発明の実施の形態４に係る臨時端末ＩＤの生成処理を示す図
【図１２】本発明の実施の形態４に係る端末ＩＤの設定を示す図
【図１３】本発明の実施の形態５に係るサーチスペースの設定を示す図
【図１４】本発明の実施の形態５に係るサーチスペースの設定を示す図
【図１５】本発明のその他の端末ＩＤの設定を示す図
【発明を実施するための形態】
【００２０】
以下、本発明の実施の形態について図面を参照して詳細に説明する。なお、実施の形態において、同一の構成要素には同一の符号を付し、その説明は重複するので省略する。
【００２１】
（実施の形態１）
図１は、本実施の形態に係る基地局１００の構成を示すブロック図である。
【００２２】
図１に示す基地局１００において、設定部１０１は、例えば、所要伝送レートやデータ伝送量に従って、端末毎に上り回線および下り回線にそれぞれ使用する１つまたは複数の単位バンドを設定（configure）する。また、設定部１０１は、各端末に対して、単位バンド毎に互いに異なる端末ＩＤを設定する。具体的には、設定部１０１は、上り単位バンドおよび下り単位バンドが１対１で対応付けられた単位バンドであって、端末に上り単位バンドまたは下り単位バンドのいずれかが設定された複数の単位バンドにそれぞれ互いに異なる端末ＩＤを設定する。そして、設定部１０１は、各端末に設定した単位バンド、および、単位バンド毎に設定した端末ＩＤを示す設定情報を制御部１０２、ＰＤＣＣＨ生成部１０３および変調部１０５に出力する。
【００２３】
制御部１０２は、端末の上り回線データを割り当てる上りリソース（例えば、ＰＵＳＣＨ（Physical Uplink Shared Channel））を示す上りリソース割当情報、および、端末宛ての下り回線データを割り当てる下りリソース（例えば、ＰＤＳＣＨ（Physical Downlink Shared Channel））を示す下りリソース割当情報を生成する。そして、制御部１０２は、上りリソース割当情報をＰＤＣＣＨ生成部１０３および抽出部１１５に出力し、下りリソース割当情報をＰＤＣＣＨ生成部１０３および多重部１０７に出力する。ここで、制御部１０２は、設定部１０１から入力される設定情報に基づいて、上りリソース割当情報および下りリソース割当情報を、各端末に設定した下り単位バンドに配置されたＰＤＣＣＨに割り当てる。具体的には、制御部１０２は、下りリソース割当情報を、その下りリソース割当情報に示されるリソース割当対象の下り単位バンドに配置されたＰＤＣＣＨに割り当てる。また、制御部１０２は、上りリソース割当情報を、その上り割当情報に示されるリソース割当対象の上り単位バンドと対応付けられた下り単位バンドに配置されたＰＤＣＣＨに割り当てる。ただし、上り割当情報に示されるリソース割当対象の上り単位バンドに対応付けられた下り単位バンドが端末に設定されていない場合、制御部１０２は、上りリソース割当情報を、端末に設定されている下り単位バンドのうち、上り割当情報に示されるリソース割当対象の上り単位バンドに対応付けられた下り単位バンドに最も近い特定の下り単位バンドに配置されたＰＤＣＣＨに割り当てる。なお、制御部１０２における割当制御処理の詳細については後述する。
【００２４】
ＰＤＣＣＨ生成部１０３は、制御部１０２から入力される上りリソース割当情報および下りリソース割当情報を含むＰＤＣＣＨ信号を生成する。また、ＰＤＣＣＨ生成部１０３は、上りリソース割当情報および下りリソース割当情報が割り当てられたＰＤＣＣＨ信号にＣＲＣビットを付加し、さらにＣＲＣビットを端末ＩＤでマスキング（または、スクランブリング）する。ここで、ＰＤＣＣＨ生成部１０３は、設定部１０１から入力される設定情報に基づいて、各リソース割当情報に付加されるＣＲＣビットを、各リソース割当情報に示されるリソース割当対象の単位バンド毎に設定された端末ＩＤでマスキングする。そして、ＰＤＣＣＨ生成部１０３は、マスキング後のＰＤＣＣＨ信号を、変調部１０４に出力する。
【００２５】
変調部１０４は、ＰＤＣＣＨ生成部１０３から入力されるＰＤＣＣＨ信号をチャネル符号化後に変調して、変調後のＰＤＣＣＨ信号を多重部１０７に出力する。
【００２６】
変調部１０５は、設定部１０１から入力される設定情報を変調して、変調後の設定情報を多重部１０７に出力する。
【００２７】
変調部１０６は、入力される送信データ（下り回線データ）をチャネル符号化後に変調して、変調後の送信データ信号を多重部１０７に出力する。
【００２８】
多重部１０７は、変調部１０４から入力されるＰＤＣＣＨ信号、変調部１０５から入力される設定情報および変調部１０６から入力されるデータ信号（つまり、ＰＤＳＣＨ信号）を多重する。ここで、多重部１０７は、制御部１０２から入力される下りリソース割当情報に基づいて、ＰＤＣＣＨ信号およびデータ信号（ＰＤＳＣＨ信号）を各下り単位バンドにマッピングする。なお、多重部１０７は、設定情報をＰＤＳＣＨにマッピングしてもよい。
【００２９】
ＩＦＦＴ（Inverse Fast Fourier Transform）部１０８は、多重信号を時間波形に変換し、ＣＰ（Cyclic Prefix）付加部１０９は、この時間波形にＣＰを付加することによりＯＦＤＭ信号を得る。
【００３０】
送信ＲＦ部１１０は、ＣＰ付加部１０９から入力されるＯＦＤＭ信号に対して送信無線処理（アップコンバート、ディジタルアナログ（Ｄ／Ａ）変換など）を施し、アンテナ１１１を介して送信する。
【００３１】
一方、受信ＲＦ部１１２は、アンテナ１１１を介して受信帯域で受信した受信無線信号に対して受信無線処理（ダウンコンバート、アナログディジタル（Ａ／Ｄ）変換など）を施し、得られた受信信号をＣＰ除去部１１３に出力する。
【００３２】
ＣＰ除去部１１３は、受信信号からＣＰを除去し、ＦＦＴ（Fast Fourier Transform）部１１４は、ＣＰ除去後の受信信号を周波数領域信号に変換する。
【００３３】
抽出部１１５は、制御部１０２から入力される上りリソース割当情報に基づいて、ＦＦＴ部１１４から入力される周波数領域信号から上り回線データを抽出し、ＩＤＦＴ（Inverse Discrete Fourier transform）部１１６は抽出信号を時間領域信号に変換し、その時間領域信号をデータ受信部１１７に出力する。
【００３４】
データ受信部１１７は、ＩＤＦＴ部１１６から入力される時間領域信号を復号する。そして、データ受信部１１７は、復号後の上り回線データを受信データとして出力する。
【００３５】
図２は、本実施の形態に係る端末２００の構成を示すブロック図である。端末２００は、複数の上り単位バンドおよびその複数の上り単位バンドよりも少ない数の特定の下り単位バンドを使用して通信することが可能である。
【００３６】
図２に示す端末２００において、受信ＲＦ部２０２は、受信帯域を変更可能に構成されており、設定情報受信部２０６から入力される帯域情報に基づいて、受信帯域を変更する。そして、受信ＲＦ部２０２は、アンテナ２０１を介して受信帯域で受信した受信無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。
【００３７】
ＣＰ除去部２０３は、受信信号からＣＰを除去し、ＦＦＴ部２０４はＣＰ除去後の受信信号を周波数領域信号に変換する。この周波数領域信号は、分離部２０５に出力される。
【００３８】
分離部２０５は、ＦＦＴ部２０４から入力される信号を、設定情報を含む上位レイヤの制御信号（例えば、ＲＲＣシグナリング等）とＰＤＣＣＨ信号とデータ信号（つまり、ＰＤＳＣＨ信号）とに分離する。そして、分離部２０５は、制御情報を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００３９】
設定情報受信部２０６は、分離部２０５から入力される制御信号から、自端末に設定された上り単位バンドおよび下り単位バンドを示す情報を読み取り、読み取った情報を帯域情報としてＰＤＣＣＨ受信部２０７、受信ＲＦ部２０２および送信ＲＦ部２１４に出力する。また、設定情報受信部２０６は、分離部２０５から入力される制御信号から、自端末に設定された単位バンド毎の端末ＩＤを示す情報を読み取り、読み取った情報を端末ＩＤ情報としてＰＤＣＣＨ受信部２０７に出力する。
【００４０】
ＰＤＣＣＨ受信部２０７は、分離部２０５から入力されるＰＤＣＣＨ信号をブラインド復号する。ここで、ＰＤＣＣＨ信号は、設定情報受信部２０６から入力される帯域情報に示される、自端末に設定された下り単位バンドにそれぞれ配置されている。ＰＤＣＣＨ受信部２０７は、分離部２０５から入力されるＰＤＣＣＨ信号を復調および復号し、復号後のＰＤＣＣＨ信号に対して、設定情報受信部２０６から入力される端末ＩＤ情報に示される自端末の端末ＩＤでＣＲＣビットをデマスキングすることによりＣＲＣ＝ＯＫ（誤り無し）となったＰＤＣＣＨ信号を自端末宛てのＰＤＣＣＨ信号であると判定する。ここで、端末２００に複数の単位バンドが設定された場合、単位バンド毎に互いに異なる端末ＩＤが割り当てられる。ＰＤＣＣＨ受信部２０７は、ＰＤＣＣＨ信号が送信されている単位バンド毎の端末ＩＤを用いて上記ブラインド復号を行うことにより、その単位バンドのリソース割当情報を取得する。また、対応付けられた下り単位バンドが設定されていない（未設定である）上り単位バンドが端末２００に設定された場合には、ＰＤＣＣＨ受信部２０７は、その上り単位バンドに対応付けられた下り単位バンドに最も近い特定の下り単位バンドに配置されたＰＤＣＣＨを、その上り単位バンドに設定された端末ＩＤでブラインド復号を行う。つまり、ＰＤＣＣＨ受信部２０７は、単位バンド毎に設定された端末ＩＤでデマスキングして得られるリソース割当情報を、その単位バンドのリソース割当情報として判別する。そして、ＰＤＣＣＨ受信部２０７は、自端末宛てのＰＤＣＣＨ信号に含まれる下りリソース割当情報をＰＤＳＣＨ受信部２０８に出力し、上りリソース割当情報を周波数マッピング部２１１に出力する。
【００４１】
ＰＤＳＣＨ受信部２０８は、ＰＤＣＣＨ受信部２０７から入力される下りリソース割当情報に基づいて、分離部２０５から入力されるＰＤＳＣＨ信号から受信データを抽出する。
【００４２】
変調部２０９は、送信データ（上り回線データ）を変調し、得られる変調信号をＤＦＴ（Discrete Fourier transform）部２１０に出力する。
【００４３】
ＤＦＴ部２１０は、変調部２０９から入力される変調信号を周波数領域に変換し、得られる複数の周波数成分を周波数マッピング部２１１に出力する。
【００４４】
周波数マッピング部２１１は、ＰＤＣＣＨ受信部２０７から入力される上りリソース割当情報に従って、ＤＦＴ部２１０から入力される複数の周波数成分を、上り単位バンドに配置されたＰＵＳＣＨにマッピングする。
【００４５】
なお、変調部２０９、ＤＦＴ部２１０および周波数マッピング部２１１は単位バンド毎に設けられてもよい。
【００４６】
ＩＦＦＴ部２１２は、ＰＵＳＣＨにマッピングされた複数の周波数成分を時間領域波形に変換し、ＣＰ付加部２１３は、その時間領域波形にＣＰを付加する。
【００４７】
送信ＲＦ部２１４は、送信帯域を変更可能に構成されており、設定情報受信部２０６から入力される帯域情報に基づいて、送信帯域を設定する。そして、送信ＲＦ部２１４は、ＣＰが付加された信号に送信無線処理（アップコンバート、ディジタルアナログ（Ｄ／Ａ）変換など）を施してアンテナ２０１を介して送信する。
【００４８】
次に、基地局１００および端末２００の動作の詳細について説明する。
【００４９】
以下の説明では、基地局１００および端末２００は、図３に示すように、２０ＭＨｚの通信帯域幅を持つ単位バンド１および単位バンド２の下り単位バンドにそれぞれ配置されたＰＤＣＣＨおよびＰＤＳＣＨ、および、上り単位バンドにそれぞれ配置されたＰＵＳＣＨを使用する。また、図３に示すように、各単位バンドでは、下り単位バンドと上り単位バンドとが１対１で対応付けられている。具体的には、図３に示すように、各単位バンドでは、ＰＤＣＣＨおよびＰＤＳＣＨを含む下り単位バンドと、ＰＵＳＣＨを含む上り単位バンドとが１対１で対応付けられている。また、ここでは、図３に示すように、各下り単位バンドでは、８個のＰＤＣＣＨ（ＰＤＣＣＨ１〜８）が用いられ、ＰＤＣＣＨ１〜４は下り回線割当用のＰＤＣＣＨである下り割当ＰＤＣＣＨとして用いられ、ＰＤＣＣＨ５〜８は上り回線割当用のＰＤＣＣＨである上り割当ＰＤＣＣＨとして用いられる。
【００５０】
基地局１００の設定部１０１は、端末毎に上り単位バンドおよび下り単位バンドを設定する。例えば、端末２００が上り回線および下り回線の双方で高速データ通信、つまり、広帯域伝送（つまり、４０ＭＨｚの通信帯域伝送）を行う場合、設定部１０１は、図３に示すように、２つの上り単位バンドおよび２つの下り単位バンドを、端末２００に設定する。一方、端末２００が上り回線のみで広帯域伝送を行っている場合（つまり、下り回線では狭帯域伝送を行っている場合）、設定部１０１は、図４に示すように、２つの上り単位バンドおよび１つの下り単位バンド（単位バンド１）を、端末２００に設定する。すなわち、図４に示すように、設定部１０１は、端末２００に対して、単位バンド１では上り単位バンドおよび下り単位バンドの双方を設定する一方、単位バンド２では、下り単位バンドを設定しないで（未設定）、上り単位バンドのみを設定する。すなわち、基地局１００と端末２００とは、２つの上り単位バンド、および、上り単位バンドよりも少ない数の１つの特定の下り単位バンドを使用して通信する。
【００５１】
また、設定部１０１は、端末２００に設定した単位バンド毎に互いに異なる端末ＩＤを設定する。すなわち、設定部１０１は、端末２００に対して、端末２００に設定される単位バンド数に応じた複数の端末ＩＤを設定する。例えば、図３および図４に示すように、設定部１０１は、端末２００が設定された単位バンド１および単位バンド２において、単位バンド１に端末ＩＤ＃ａを設定し、単位バンド２に端末ＩＤ＃ｂを設定する。
【００５２】
なお、設定部１０１で設定された各端末の単位バンドおよび各端末に設定された単位バンド毎の端末ＩＤは、制御チャネルまたはＰＤＳＣＨを用いて各端末に通知される。ここで、端末ＩＤの設定例を図５に示す。図５では、設定部１０１は、端末１，２，４に２つの単位バンド（単位バンド１，２）を設定し、端末３に１つの単位バンド（単位バンド１）を設定している。また、設定部１０１は、端末１に設定した単位バンド１に端末ＩＤ＃ａを設定し、単位バンド２に端末ＩＤ＃ｂを設定する。同様に、設定部１０１は、端末２に設定した単位バンド１に端末ＩＤ＃ｃを設定し、単位バンド２に端末ＩＤ＃ｄを設定する。端末４に対しても同様である。一方、設定部１０１は、端末３に設定した単位バンド１に端末ＩＤ＃ｅを設定する。なお、上り単位バンドの数と下り単位バンドの数とが異なる場合には、設定部１０１は、設定された数が多い方の単位バンド数に応じて端末ＩＤを設定する。例えば、上り回線のみで広帯域伝送を行う場合のように、上り単位バンドの数が下り単位バンドの数よりも多い場合には、設定部１０１は、上り単位バンド毎に異なる端末ＩＤを設定する。
【００５３】
次いで、制御部１０２は、下りリソース割当情報および上りリソース割当情報を各単位バンドのＰＤＣＣＨに割り当てる。例えば、図３に示すように、制御部１０２は、単位バンド１のＰＤＳＣＨの割り当てを示す下りリソース割当情報を、単位バンド１の下り割当ＰＤＣＣＨ１〜４のうち、ＰＤＣＣＨ１に割り当てる。また、制御部１０２は、単位バンド２のＰＤＳＣＨの割り当てを示す下りリソース割当情報を、単位バンド２の下り割当ＰＤＣＣＨ１〜４のうち、ＰＤＣＣＨ１に割り当てる。図４における下りリソース割当情報の割り当てについても同様である。
【００５４】
また、図３に示すように、上り回線および下り回線の双方で広帯域伝送を行う場合には、制御部１０２は、単位バンド１のＰＵＳＣＨの割り当てを示す上りリソース割当情報を、単位バンド１の上り割当ＰＤＣＣＨ５〜８のうち、ＰＤＣＣＨ５に割り当てる。また、制御部１０２は、単位バンド２のＰＵＳＣＨの割り当てを示す上りリソース割当情報を、単位バンド２の上り割当ＰＤＣＣＨ５〜８のうち、ＰＤＣＣＨ５に割り当てる。
【００５５】
一方、図４に示すように、上り回線のみで広帯域伝送を行っている場合（上り単位バンドと下り単位バンドとが非対称である場合）には、制御部１０２は、未設定の下り単位バンド（図４では単位バンド２の下り単位バンド）に対応付けられた上り単位バンドのＰＵＳＣＨの割り当てを示す上りリソース割当情報を、未設定の上り単位バンドから最も近い上り単位バンド（図４では単位バンド１の上り単位バンド）のＰＤＣＣＨに割り当てる。具体的には、図４に示すように、制御部１０２は、単位バンド２のＰＵＳＣＨの割り当てを示す上りリソース割当情報を、単位バンド２に隣接する単位バンド１の上り割当ＰＤＣＣＨ５〜８のうち、ＰＤＣＣＨ６に割り当てる。
【００５６】
次いで、ＰＤＣＣＨ生成部１０３は、端末２００宛てのリソース割当情報に付加するＣＲＣビットを、単位バンド毎に設定された端末ＩＤでマスキングする。具体的には、図３に示すように、上り回線および下り回線の双方で広帯域伝送を行う場合には、ＰＤＣＣＨ生成部１０３は、単位バンド１のＰＤＣＣＨ１に割り当てられた下りリソース割当情報および単位バンド１のＰＤＣＣＨ５に割り当てられた上りリソース割当情報にそれぞれ付加するＣＲＣビットを、単位バンド１に設定された端末ＩＤ＃ａでマスキングする。同様に、ＰＤＣＣＨ生成部１０３は、単位バンド２のＰＤＣＣＨ１に割り当てられた下りリソース割当情報および単位バンド２のＰＤＣＣＨ５に割り当てられた上りリソース割当情報にそれぞれ付加するＣＲＣビットを、単位バンド２に設定された端末ＩＤ＃ｂでマスキングする。
【００５７】
また、図４に示すように、上り回線のみで広帯域伝送を行っている場合には、ＰＤＣＣＨ生成部１０３は、単位バンド１のＰＤＣＣＨ１に割り当てられた単位バンド１における下りリソース割当情報および単位バンド１のＰＤＣＣＨ５に割り当てられた単位バンド１における上りリソース割当情報にそれぞれ付加するＣＲＣビットを、単位バンド１に設定された端末ＩＤ＃ａでマスキングする。一方、ＰＤＣＣＨ生成部１０３は、単位バンド１のＰＤＣＣＨ６に割り当てられた、単位バンド２における上りリソース割当情報に付加するＣＲＣビットを、単位バンド２に設定された端末ＩＤ＃ｂでマスキングする。すなわち、ＰＤＣＣＨ生成部１０３は、リソース割当情報に付加するＣＲＣビットを、そのリソース割当情報に示されるリソース割当対象の単位バンドに設定された端末ＩＤでマスキングする。
【００５８】
端末２００の設定情報受信部２０６は、基地局１００から通知される設定情報に基づいて、自端末が上り回線および下り回線の双方で広帯域伝送を行うのか、上り回線のみで広帯域伝送を行うのかを判断する。また、設定情報受信部２０６は、図３に示すように下り回線で２つの下り単位バンドを設定された場合は、受信ＲＦ部２０２に対して４０ＭＨｚの受信帯域幅を設定し、図４に示すように下り回線で１つの下り単位バンドを設定された場合は、受信ＲＦ部２０２に対して２０ＭＨｚの受信帯域幅を設定する。送信ＲＦ部２１４における送信帯域幅についても同様である。
【００５９】
ＰＤＣＣＨ受信部２０７は、単位バンド毎に設定された端末ＩＤを用いて、自端末に設定された下り単位バンドに配置されたＰＤＣＣＨ信号をブラインド復号する。例えば、図３では、端末２００に下り回線として単位バンド１および単位バンド２の下り単位バンドが設定されている。よって、ＰＤＣＣＨ受信部２０７は、単位バンド１のＰＤＣＣＨ１〜８を端末ＩＤ＃ａでデマスキングすることにより、ＣＲＣ＝ＯＫとなったＰＤＣＣＨ１（下りリソース割当情報）およびＰＤＣＣＨ５（上りリソース割当情報）を単位バンド１における自端末宛てのＰＤＣＣＨ信号であると判定する。また、ＰＤＣＣＨ受信部２０７は、単位バンド２のＰＤＣＣＨ１〜８を端末ＩＤ＃ｂでデマスキングすることにより、ＣＲＣ＝ＯＫとなったＰＤＣＣＨ１（下りリソース割当情報）およびＰＤＣＣＨ５（上りリソース割当情報）を単位バンド２における自端末宛てのＰＤＣＣＨ信号であると判定する。
【００６０】
一方、図４では、端末２００に下り回線として単位バンド１の下り単位バンドのみが設定されており、かつ、上り回線として単位バンド１および単位バンド２の上り単位バンドが設定されている。よって、ＰＤＣＣＨ受信部２０７は、単位バンド１のＰＤＣＣＨ１〜８を端末ＩＤ＃ａでデマスキングするとともに、単位バンド２に設定された端末ＩＤ＃ｂでもデマスキングする。そして、ＰＤＣＣＨ受信部２０７は、端末ＩＤ＃ａでデマスキングすることによりＣＲＣ＝ＯＫとなったＰＤＣＣＨ１（下りリソース割当情報）およびＰＤＣＣＨ５（上りリソース割当情報）を単位バンド１における自端末宛てのＰＤＣＣＨ信号であると判定する。また、ＰＤＣＣＨ受信部２０７は、端末ＩＤ＃ｂでデマスキングすることによりＣＲＣ＝ＯＫとなったＰＤＣＣＨ６（上りリソース割当情報）を単位バンド２における自端末宛てのＰＤＣＣＨ信号であると判定する。
【００６１】
このように、基地局１００は、端末２００に設定された複数の単位バンド毎に互いに異なる端末ＩＤを設定する。これにより、基地局１００では、上り単位バンド毎に互いに異なる単位バンドが設定されるため、各上り単位バンドの上りリソース割当情報が各上り単位バンド毎に設定された端末ＩＤでそれぞれマスキングされたＰＤＣＣＨが用いられる。よって、基地局１００は、未設定の下り単位バンドに対応付けられた上り単位バンドのリソース割当情報を、その上り単位バンドを含む単位バンドと異なる単位バンドに配置されたＰＤＣＣＨを用いて各端末に通知することができる。また、端末２００では、端末ＩＤによりＰＤＣＣＨに割り当てられたリソース割当情報がどの上り単位バンドのリソース割当情報であるかを区別することができる。
【００６２】
よって、端末２００が上り回線のみで広帯域伝送を行う場合、つまり、端末２００に設定される上り単位バンドの数（図４では２個）が下り単位バンドの数（図４では１個）よりも多い場合でも、基地局１００は、設定された特定の下り単位バンド（図４では単位バンド１の下り単位バンド）のみを用いて、複数の上り単位バンド（図４では単位バンド１および単位バンド２の上り単位バンド）のリソース割当情報を端末２００に通知することができる。つまり、端末２００では、図４に示す単位バンド２の下り単位バンドのＰＤＣＣＨを受信することなく、単位バンド２の上り単位バンドの上りリソース割当情報を得ることができる。よって、端末２００では、上り回線のみで広帯域伝送を行う場合でも、受信帯域幅が狭い受信信号（図４では通信帯域幅２０ＭＨｚ（単位バンド１）の受信信号）を受信できるため、端末２００の消費電力を低減することができる。
【００６３】
このように、本実施の形態によれば、基地局は、端末に設定した単位バンド毎に互いに異なる端末ＩＤを設定する。これにより、端末では、端末ＩＤでブラインド復号して得られるリソース割当情報を、その端末ＩＤが設定された単位バンドのリソース割当情報であると分かる。よって、上り回線のみで広帯域伝送を行う場合、つまり、下り回線で狭帯域伝送を行う場合でも、端末では、狭帯域信号に含まれる複数の単位バンドの上りリソース割当情報を端末ＩＤに基づいて区別することができる。よって、本実施の形態によれば、上り回線のみで広帯域伝送を行う場合でも、端末の消費電力を低減することができる。
【００６４】
さらに、本実施の形態では、リソース割当情報に示されるリソース割当対象の単位バンドと異なる単位バンドに割り当てられる場合でも、端末は、どの上り単位バンドのリソース割当情報であるかを端末ＩＤに基づいて区別することができる。よって、本実施の形態では、ＬＴＥシステムと同様、１つのリソース割当情報に、１つの単位バンド内のリソース割り当て（例えば、２０ＭＨｚの通信帯域内のＲＢ割り当て）のみを含むことにより、ＬＴＥシステムと同一のフォーマットを用いることができる。よって、本実施の形態によれば、基地局ではＰＤＣＣＨに割り当てるリソース割当情報に新たな情報を追加することなく、かつ、端末では下りリソース割当情報のＣＲＣビットをマスキングするため、ＬＴＥシステムと同様の処理を行うことができ、基地局および端末の処理を簡素化することができる。
【００６５】
（実施の形態２）
本実施の形態では、基地局は、端末毎に、各端末宛てのリソース割当情報を割り当てるＰＤＣＣＨが配置される単位バンドを設定する。
【００６６】
本実施の形態に係る基地局１００の設定部１０１（図１）は、実施の形態１と同様にして、端末毎に上り単位バンドおよび下り単位バンドを設定するとともに、各端末宛てのリソース割当情報を割り当てるＰＤＣＣＨが配置される単位バンド（以下、ＰＤＣＣＨ送信用単位バンド）を設定する。
【００６７】
制御部１０２は、各端末宛てのリソース割当情報を、設定部１０１で設定されたＰＤＣＣＨ送信用単位バンドに配置されたＰＤＣＣＨに割り当てる。
【００６８】
一方、本実施の形態に係る端末２００の設定情報受信部２０６（図２）は、実施の形態１と同様にして、自端末に設定された上り単位バンドおよび下り単位バンドの情報を得るとともに、自端末のＰＤＣＣＨ送信用単位バンドを示す情報を得る。
【００６９】
ＰＤＣＣＨ受信部２０７は、設定情報受信部２０６で得られた自端末のＰＤＣＣＨ送信用単位バンドに配置されたＰＤＣＣＨのみをブラインド復号する。
【００７０】
次に、基地局１００および端末２００の動作の詳細について説明する。実施の形態１（図３）と同様にして上り回線および下り回線の双方で広帯域伝送を行っている場合を図６に示し、実施の形態１（図４）と同様にして上り回線のみで広帯域伝送を行っている場合（つまり、単位バンド２の下り単位バンドが未設定の場合）を図７に示す。また、図６および図７では、実施の形態１と同様、設定部１０１は、端末２００に設定された単位バンド１に端末ＩＤ＃ａを設定し、単位バンド２に端末ＩＤ＃ｂを設定する。
【００７１】
例えば、図６および図７において、設定部１０１は、端末２００宛てのリソース割当情報を割り当てるＰＤＣＣＨが配置される単位バンド、つまり、端末２００のＰＤＣＣＨ送信用単位バンドとして、単位バンド１を設定する。
【００７２】
そして、制御部１０２は、単位バンド１および単位バンド２における端末２００宛てのリソース割当情報を、ＰＤＣＣＨ送信用単位バンドである単位バンド１のＰＤＣＣＨに割り当てる。具体的には、制御部１０２は、単位バンド１のＰＤＣＣＨ１〜８のうち、ＰＤＣＣＨ１に単位バンド１における下りリソース割当情報を割り当て、ＰＤＣＣＨ２に単位バンド２における下りリソース割当情報を割り当て、ＰＤＣＣＨ５に単位バンド１における上りリソース割当情報を割り当て、ＰＤＣＣＨ６に単位バンド２における上りリソース割当情報を割り当てる。このように、制御部１０２は、端末２００に設定された単位バンド１および単位バンド２のいずれのリソース割当情報も、単位バンド１のＰＤＣＣＨに割り当てる。なお、制御部１０２は、図６および図７に示すように、実施の形態１と同様にして、単位バンド１におけるリソース割当情報に付加するＣＲＣビットを、端末ＩＤ＃ａでマスキングし、単位バンド２におけるリソース割当情報に付加するＣＲＣビットを、端末ＩＤ＃ｂでマスキングする。
【００７３】
これに対し、端末２００のＰＤＣＣＨ受信部２０７は、基地局１００から通知される自端末のＰＤＣＣＨ送信用単位バンド、すなわち、図６および図７に示す単位バンド１のＰＤＣＣＨ１〜８をブラインド復号する。よって、ＰＤＣＣＨ受信部２０７は、図６および図７に示す単位バンド１のＰＤＣＣＨ１〜８を端末ＩＤ＃ａでデマスキングすることによりＣＲＣ＝ＯＫとなったＰＤＣＣＨを単位バンド１における自端末宛てのＰＤＣＣＨ信号であると判定し、端末ＩＤ＃ｂでデマスキングすることによりＣＲＣ＝ＯＫとなったＰＤＣＣＨを単位バンド２における自端末宛てのＰＤＣＣＨ信号であると判定する。
【００７４】
実施の形態１における図３と本実施の形態における図６とを比較する。図３では、単位バンド１および単位バンド２の双方の１６個のＰＤＣＣＨをブラインド復号対象としているため、端末２００は、１６個のＰＤＣＣＨを復調および復号し、ブラインド復号処理を行う。これに対し、図６では、単位バンド１の８個のＰＤＣＣＨのみをブラインド復号対象としているため、端末２００は、８個のＰＤＣＣＨ、すなわち、実施の形態１の半数のＰＤＣＣＨを復調および復号し、ブラインド処理を行う。
【００７５】
このように、図６および図７に示す単位バンド１のみに端末２００宛てのリソース割当情報が割り当てられるため、端末２００は単位バンド１のＰＤＣＣＨのみをブラインド復号の対象とすればよい。すなわち、端末２００では、自端末宛てのリソース割当情報を得るためのブラインド復号回数を低減することができる。また、図７に示すように、上り回線のみで広帯域伝送を行う場合には、実施の形態１と同様、基地局１００は、１つの下り単位バンドを用いて、２つの上り単位バンドのリソース割当を端末２００へ通知することができる。
【００７６】
このように、本実施の形態によれば、実施の形態１と同様の効果を得つつ、さらに、上り回線および下り回線の双方で広帯域伝送を行う場合には端末でのブラインド復号回数を低減することができる。よって、本実施の形態によれば、ブラインド復号処理が少なくなるため、簡易な端末を実現することができる。また、端末では、自端末宛てのリソース割当情報が割り当てられたＰＤＣＣＨ（図６および図７では、単位バンド１のＰＤＣＣＨ）のみをメモリへ格納すればよいため、メモリ量を削減することができる。
【００７７】
また、本実施の形態によれば、基地局は、端末毎に、各端末宛てのリソース割当情報を割り当てるＰＤＣＣＨが配置される単位バンド（つまり、ＰＤＣＣＨ送信する単位バンド）を設定した。さらに、基地局は、通信品質の良い単位バンドを、ＰＤＣＣＨ送信する単位バンドとして設定することにより、ＰＤＣＣＨ送信のためのトータルの無線リソース（例えば、時間周波数リソース）を低減することができる。例えば、２つの単位バンドがそれぞれ異なる２つの周波数帯（２ＧＨｚ帯および３．４ＧＨｚ帯）に属する場合、基地局は、より低い周波数帯、つまり、伝搬減衰がより小さい周波数帯である２ＧＨｚ帯に属する単位バンドのみでＰＤＣＣＨを送信すればよい。これにより、基地局はより高い符号化率でＰＤＣＣＨを送信することができるので、ＰＤＣＣＨに用いる無線リソースを低減することができる。
【００７８】
（実施の形態３）
本実施の形態では、基地局は、上り回線のみで広帯域伝送を行う場合のみ、各端末に設定された上り単位バンド毎に互いに異なる端末ＩＤを設定する。
【００７９】
本実施の形態における基地局１００の設定部１０１（図１）は、通常（例えば、上り回線と下り回線とが対象である場合、または、下り回線のみで広帯域伝送を行う場合）、端末毎に１つの所定の端末ＩＤを設定する。一方、設定部１０１は、上り回線のみで広帯域伝送を行う場合（すなわち、設定された上り単位バンド数が下り単位バンド数よりも多く設定される場合）、端末にさらに追加の端末ＩＤ（臨時（temporary）端末ＩＤ）を設定する。ここで、設定部１０１は、上り単位バンドの数と下り単位バンドの数との差に相当する臨時端末ＩＤを生成する。設定部１０１では、臨時端末ＩＤを追加することにより、上り単位バンドの数と同数の端末ＩＤ（所定の端末ＩＤおよび臨時端末ＩＤ）が１つの端末に設定される。これにより、設定部１０１では、上り単位バンドのみで広帯域伝送を行う場合には、実施の形態１と同様にして、上り単位バンド毎に互いに異なる端末ＩＤが設定される。設定部１０１は、設定した臨時端末ＩＤを含む設定情報をＰＤＣＣＨ生成部１０３および変調部１０５に出力する。また、設定部１０１は、端末ＩＤの追加後に再び、上り回線のみで広帯域伝送を行わなくなった場合、臨時端末ＩＤを開放する。
【００８０】
なお、設定部１０１は、所定の端末ＩＤに応じて臨時端末ＩＤを生成する。例えば、設定部１０１は、臨時端末ＩＤとして、所定の端末ＩＤと異なる任意の端末ＩＤを選択してもよく、所定の設定ルールに従って、所定の端末ＩＤから端末ＩＤを生成してもよい。
【００８１】
ＰＤＣＣＨ生成部１０３は、設定部１０１から入力される設定情報に含まれる端末ＩＤで、リソース割当情報に付加するＣＲＣビットをマスキングする。具体的には、臨時端末ＩＤが設定されていない場合、ＰＤＣＣＨ生成部１０３は、端末に設定されたすべての単位バンドにおいて、１つの所定の端末ＩＤを用いてＣＲＣビットをマスキングする。一方、臨時端末ＩＤが設定されている場合、ＰＤＣＣＨ生成部１０３は、上り単位バンド毎に設定された端末ＩＤ（所定の端末ＩＤおよび臨時端末ＩＤ）を用いてＣＲＣビットをマスキングする。
【００８２】
これに対し、端末２００のＰＤＣＣＨ受信部２０７は、通常、設定情報に含まれる１つの所定の端末ＩＤを用いてブラインド復号する。すなわち、ＰＤＣＣＨ受信部２０７は、自端末に設定された下り単位バンドに配置されたＰＤＣＣＨを所定の端末ＩＤでデマスキングする。一方、ＰＤＣＣＨ受信部２０７は、上り回線のみで広帯域伝送を行う場合には、設定情報に含まれる所定の端末ＩＤおよび臨時端末ＩＤを用いてブラインド復号する。
【００８３】
次に、基地局１００および端末２００の動作の詳細について説明する。実施の形態１（図３）と同様にして上り回線および下り回線の双方で広帯域伝送を行っている場合を図８に示し、実施の形態１（図４）と同様にして上り回線のみで広帯域伝送を行っている場合（つまり、単位バンド２の下り単位バンドが未設定の場合）を図９に示す。
【００８４】
設定部１０１は、図８に示すように、所定の端末ＩＤとして、端末２００に端末ＩＤ＃ａを設定する。
【００８５】
そして、ＰＤＣＣＨ生成部１０３は、図８に示すように、単位バンド１および単位バンド２のＰＤＣＣＨ（単位バンド１および単位バンド２の双方のＰＤＣＣＨ１およびＰＤＣＣＨ５）にそれぞれ割り当てられたすべてのリソース割当情報のＣＲＣビットを端末ＩＤ＃ａでマスキングする。
【００８６】
よって、端末２００のＰＤＣＣＨ受信部２０７は、図８に示す単位バンド１および単位バンド２にそれぞれ配置されたＰＤＣＣＨ１〜８を端末ＩＤ＃ａでデマスキングする。具体的には、ＰＤＣＣＨ受信部２０７は、図８に示す単位バンド１および単位バンド２にそれぞれ配置されたＰＤＣＣＨ１〜８の１６個のＰＤＣＣＨを端末ＩＤ＃ａでデマスキングし、ＣＲＣ＝ＯＫとなったＰＤＣＣＨを自端末宛てのＰＤＣＣＨ信号であると判定する。
【００８７】
一方、設定部１０１は、図９に示すように上り回線のみで広帯域伝送を行う場合には、端末２００に対して端末ＩＤ＃ａに加え、臨時端末ＩＤとして端末ＩＤ＃ｂを追加設定する。具体的には、設定部１０１は、端末２００に設定された単位バンド１に端末ＩＤ＃ａを設定し、単位バンド２に臨時端末ＩＤ＃ｂを再設定する。
【００８８】
割当部１０２は、単位バンド１におけるリソース割当情報を、単位バンド１のＰＤＣＣＨ１およびＰＤＣＣＨ５に割り当て、単位バンド２における上りリソース割当情報を、単位バンド１のＰＤＣＣＨ６に割り当てる。
【００８９】
そして、ＰＤＣＣＨ生成部１０３は、図９に示すように、単位バンド１のＰＤＣＣＨ１およびＰＤＣＣＨ５にそれぞれ割り当てられた、単位バンド１におけるリソース割当情報のＣＲＣビットを端末ＩＤ＃ａでマスキングする。また、ＰＤＣＣＨ生成部１０３は、図９に示すように、単位バンド１のＰＤＣＣＨ６に割り当てられた、単位バンド２の下り単位バンドの上りリソース割当情報のＣＲＣビットを臨時端末ＩＤ＃ｂでマスキングする。
【００９０】
これに対し、端末２００のＰＤＣＣＨ受信部２０７は、実施の形態１と同様、図９に示す単位バンド１のＰＤＣＣＨ１〜８を端末ＩＤ＃ａでデマスキングしＣＲＣ＝ＯＫとなったＰＤＣＣＨを単位バンド１における自端末宛てのＰＤＣＣＨ信号であると判定し、単位バンド１のＰＤＣＣＨ１〜８を臨時端末ＩＤ＃ｂでデマスキングしＣＲＣ＝ＯＫとなったＰＤＣＣＨを単位バンド２における自端末宛てのＰＤＣＣＨ信号であると判定する。
【００９１】
次に、単位バンドおよび端末ＩＤの設定処理を示すシーケンス図を図１０に示す。
【００９２】
ステップ（以下、ＳＴという）１０１では、基地局１００の設定部１０１は、端末２００に端末ＩＤ（例えば、図８では端末ＩＤ＃ａ）を設定し、設定した端末ＩＤを端末２００に通知する。ＳＴ１０２では、設定部１０２は、端末２００に対して、上り回線および下り回線が対象となるように上り単位バンドおよび下り単位バンド（例えば、図８に示すように、２つの上り単位バンドおよび２つの下り単位バンド）を設定し、設定した単位バンドを端末２００に通知する。端末２００の設定情報受信部２０６は、受信帯域幅（２つの下り単位バンド）および送信帯域幅（２つの上り単位バンド）を設定する。ＳＴ１０３では、基地局１００と端末２００との間で通信（上り回線および下り回線が対象である通信）が行われる。このとき、基地局１００および端末２００では、図８に示すように、端末ＩＤ＃ａでマスキングされたＰＤＣＣＨを用いて単位バンド１および単位バンド２における上り回線および下り回線のリソース割り当てが行われる。
【００９３】
ＳＴ１０４では、基地局１００の設定部１０１は、上り回線および下り回線の所要データ伝送レートまたはデータ伝送量に基づいて、上り回線のみで広帯域伝送が行われるように端末２００に設定する単位バンドの再設定を行い、設定した単位バンドを端末２００に通知する。例えば、設定部１０１は、図９に示すように、端末２００に２つの上り単位バンドおよび１つの下り単位バンドを設定する。端末２００の設定情報受信部２０６は、ＳＴ１０２と同様にして、受信帯域幅（１つの下り単位バンド）および送信帯域幅（２つの上り単位バンド）を設定する。
【００９４】
ＳＴ１０５では、設定部１０５は、端末２００に臨時端末ＩＤ（例えば、図９では臨時端末ＩＤ（端末ＩＤ＃ｂ））を設定し、設定した臨時端末ＩＤを端末２００に通知する。ＳＴ１０６では、基地局１００と端末２００との間で通信（上り回線のみが広帯域である通信）が行われる。このとき、基地局１００および端末２００では、図９に示すように、端末ＩＤ＃ａでマスキングされた単位バンド１のＰＤＣＣＨを用いて、単位バンド１における上り回線および下り回線のリソース割り当てが行われ、端末ＩＤ＃ｂでマスキングされた単位バンド１のＰＤＣＣＨを用いて、単位バンド２における上り回線のリソース割り当てが行われる。
【００９５】
ＳＴ１０７では、基地局１００の設定部１０１は、上り回線および下り回線の所要データ伝送レートまたはデータ伝送量に基づいて、例えば、ＳＴ１０２と同様、つまり、図８に示すように、上り回線および下り回線が対象となるように単位バンドの再設定を行うとともに、ＳＴ１０５で設定した臨時端末ＩＤ（図９では端末ＩＤ＃ｂ）を開放する。端末２００の設定情報受信部２０６は、ＳＴ１０２と同様にして、受信帯域幅（２つの下り単位バンド）および送信帯域幅（２つの上り単位バンド）を設定する。ＳＴ１０８では、基地局１００と端末２００との間で通信（上り回線および下り回線が対象である通信）が行われる。
【００９６】
ここで、実施の形態１（図３または図４）では、各端末に設定された単位バンド毎に互いに異なる端末ＩＤ（端末ＩＤ＃ａおよび端末ＩＤ＃ｂ）は、予め設定された。これに対し、本実施の形態では、図９に示すように上り回線のみで広帯域伝送を行う場合のみ、各端末に設定された単位バンド毎に互いに異なる端末ＩＤ（端末ＩＤ＃ａおよび臨時端末ＩＤ＃ｂ）が設定される。すなわち、図８に示すように上り回線および下り回線が対象である場合（または、下り回線のみで広帯域伝送を行う場合）には、端末２００に対して端末ＩＤ＃ａのみしか設定されていないため、基地局１００は、例えば、端末ＩＤ＃ｂを他の端末に設定することができる。
【００９７】
このように、本実施の形態によれば、基地局は、上り回線のみが広帯域伝送を行う場合のみ、臨時端末ＩＤを設定する。つまり、基地局は、上り回線のみが広帯域伝送を行う場合のみ、端末に対して単位バンド（上り単位バンド）毎に互いに異なる端末ＩＤを設定する。よって、本実施の形態では、基地局では、端末毎に端末ＩＤ（臨時端末ＩＤ）を追加設定することで、端末毎に使用する端末ＩＤを必要最小限にすることができるため、システム内では、十分な数の端末ＩＤをより多くの端末に割り当てることが可能となる。
【００９８】
（実施の形態４）
本実施の形態では、基地局は、実施の形態３と同様、上り回線のみで広帯域伝送を行う場合のみ、端末に対して臨時端末ＩＤを追加設定する。本実施の形態では、基地局は端末に設定された所定の端末ＩＤに応じて臨時端末ＩＤを生成する。
【００９９】
具体的には、本実施の形態における基地局１００の設定部１０１（図１）は、実施の形態３と同様、端末に１つの所定の端末ＩＤを設定する。また、設定部１０１は、上り回線のみで広帯域伝送を行う場合、端末に対して、所定の端末ＩＤに応じて生成される臨時端末ＩＤを設定する。例えば、設定部１０１は、所定の端末ＩＤを巡回シフト（すなわち、ビットシフト）することにより、臨時端末ＩＤを生成する。
【０１００】
例えば、リソース割当情報が割り当てられるＰＤＣＣＨが配置された下り単位バンドを基準とし、上りリソース割当情報のリソース割当対象となる上り単位バンドに対応付けられた下り単位バンドが、基準となる下り単位バンドからどれだけ離れているかを示す相対インデックス（relative index）を巡回シフト数とする。例えば、基準となる下り単位バンド（例えば、単位バンド１）と隣接する下り単位バンド（例えば、単位バンド２）は、基準となる下り単位バンドから、単位バンド１つ分だけ離れているため、相対インデックスを１とする。同様に、例えば、単位バンド１の下り単位バンドを基準となる下り単位バンドとすると、例えば、単位バンド（Ｍ＋１）の下り単位バンドは、基準となる下り単位バンドから、単位バンドＭ個分だけ離れているため、相対インデックスをＭとする。
【０１０１】
そして、設定部１０１は、図１１に示すように、相対インデックス（図１１ではＭ）だけ、端末に設定された所定の端末ＩＤを巡回シフトさせて臨時端末ＩＤを生成する。これにより、設定部１０１では、複数の上り単位バンド毎に互いに異なる端末ＩＤ（所定の端末ＩＤおよび臨時端末ＩＤ）が設定される。そして、ＰＤＣＣＨ生成部１０３は、図１１に示すように、データそのものを含むペイロード部とＣＲＣビットを含むＣＲＣ部とで構成されるリソース割当情報のうち、ＣＲＣ部を臨時端末ＩＤでマスキングする。
【０１０２】
次に、例えば、図１２に示すように、端末２００（図２）に３つの上り単位バンド（単位バンド１〜３）および１つの下り単位バンド（単位バンド１）が設定されている場合について説明する。つまり、図１２では、単位バンド１および単位バンド２の下り単位バンドが未設定となる。また、図１２では、端末２００に所定の端末ＩＤ＃ａが設定されている。また、図１２では、基地局１００は、単位バンド１における下りリソース割当情報を単位バンド１のＰＤＣＣＨ１に割り当て、単位バンド１〜３における上りリソース割当情報を、単位バンド１の下り単位バンドのＰＤＣＣＨ５，ＰＤＣＣＨ６およびＰＤＣＣＨ７にそれぞれ割り当てる。すなわち、図１２では、単位バンド１を基準として相対インデックスが算出される。
【０１０３】
図１２に示すように、基地局１００は、単位バンド１のＰＤＣＣＨ１およびＰＤＣＣＨ５に割り当てられた、単位バンド１におけるリソース割当情報を、端末２００に設定された端末ＩＤ＃ａでマスキングする。また、単位バンド２は、単位バンド１に対する相対インデックスが１であるので、基地局１００は、図１２に示すように、単位バンド１のＰＤＣＣＨ６に割り当てられた、単位バンド２における上りリソース割当情報を、端末ＩＤ＃ａを相対インデックス（１）だけ巡回シフトさせた臨時端末ＩＤ＃ａ（＋１）でマスキングする。同様に、単位バンド３は、単位バンド１に対する相対インデックスが２であるので、基地局１００は、図１２に示すように、単位バンド１のＰＤＣＣＨ７に割り当てられた、単位バンド３における上りリソース割当情報を、端末ＩＤ＃ａを相対インデックス（２）だけ巡回シフトさせた臨時端末ＩＤ＃ａ（＋２）でマスキングする。
【０１０４】
一方、端末２００は、上り回線のみで広帯域伝送を行う場合には、基地局１００と同様にして、自端末に設定された所定の端末ＩＤ（図１２では端末ＩＤ＃ａ）に応じて単位バンド毎の端末ＩＤ（臨時端末ＩＤ）を生成する。これにより、基地局１００では、端末２００への臨時端末ＩＤの通知が不要になる。また、設定部１０１は基準となる単位バンドとの相対インデックスを算出して、所定の端末ＩＤを相対インデックスだけ巡回シフトさせた端末ＩＤを生成するため、基地局１００では単位バンドと端末ＩＤとの対応付けの通知も不要になる。すなわち、基地局１００は端末ＩＤに関する通知として、所定の端末ＩＤのみを端末２００へ通知すればよい。
【０１０５】
また、端末２００は、自端末に設定された単位バンド間での相対インデックスを特定できればよく、システム全体の単位バンド数および絶対単位バンド番号を知る必要がないため、基地局１００から端末２００への端末ＩＤの通知に要する制御情報量を低減することができる。
【０１０６】
このように、本実施の形態によれば、実施の形態３と同様の効果を得ることができ、さらに、基地局から端末への臨時端末ＩＤの通知が不要となるため、制御情報量を削減することができる。さらに、本実施の形態によれば、基地局は、基準となる単位バンドに設定された端末ＩＤを相対インデックスだけ巡回シフトさせた端末ＩＤを生成するため、いずれの単位バンドでも基準とすることができる。よって、基地局では、どの単位バンドの下り単位バンドに配置されたＰＤＣＣＨからでも複数の上り単位バンドのリソース割当情報を端末へ通知することができる。
【０１０７】
なお、本実施の形態では、基地局が所定の端末ＩＤを相対インデックスだけ巡回シフトして臨時端末ＩＤを生成する場合について説明した。しかし、本発明では、基地局は、リソース割当情報に付加されるＣＲＣ部を相対インデックスだけ巡回シフトし、巡回シフト後のＣＲＣ部（ＣＲＣビット）を所定の端末ＩＤでマスキングしてもよい。または、基地局は、ＣＲＣ部を所定の端末ＩＤでマスキングし、マスキング後のＣＲＣ部を相対インデックスだけ巡回シフトしてもよい。この場合でも、本実施の形態と同様の効果を得ることができる。
【０１０８】
また、本実施の形態では、基地局が所定の端末ＩＤを相対インデックスだけ巡回シフトして臨時端末ＩＤを生成する場合について説明したが、本発明では、基地局は、相対インデックスを所定の端末ＩＤに加算することにより臨時端末ＩＤを生成してもよい。
【０１０９】
（実施の形態５）
本実施の形態では、基地局は、各端末に設定された単位バンド毎に互いに異なるサーチスペースを設定する。
【０１１０】
各ＰＤＣＣＨは１つまたは連続する複数のＣＣＥ（Control Channel Element）と呼ばれるリソース単位で送信される。また、ＬＴＥでは、端末でのブラインド復号の回数を削減することを目的として、ブラインド復号の対象となるＣＣＥであるＣＣＥ領域（サーチスペース：Search Space）を、端末毎に限定する方法が検討されている。基地局は、リソース割当情報の宛先である端末に割り当てられたサーチスペースのＰＤＣＣＨにそのリソース割当情報を割り当て、各端末は、自端末に割り当てられたサーチスペースのＰＤＣＣＨに対してのみブラインド復号を行う。
【０１１１】
本実施の形態では、基地局は各端末に設定された単位バンド毎に互いに異なるサーチスペースを設定し、端末は単位バンド毎のサーチスペースをブラインド復号することにより単位バンド毎のリソース割当情報を区別する。
【０１１２】
本実施の形態における基地局１００の設定部１０１（図１）は、各端末に設定された複数の単位バンド毎に互いに異なるサーチスペースを設定する。例えば、図１３に示すように、上り回線および下り回線の双方で広帯域伝送を行う場合、設定部１０１は、単位バンド１のサーチスペース（単位バンド１割当用サーチスペース）として、単位バンド１の下り単位バンドのＰＤＣＣＨ１〜４を設定する。また、設定部１０１は、単位バンド２のサーチスペース（単位バンド２割当用サーチスペース）として、単位バンド２の下り単位バンドのＰＤＣＣＨ５〜８を設定する。
【０１１３】
一方、例えば、図１４に示すように、上り回線のみで広帯域伝送を行う場合（つまり、単位バンド２が未設定の場合）、設定部１０１は、単位バンド１割当用サーチスペースとして、単位バンド１の下り単位バンドのＰＤＣＣＨ１〜４を設定し、単位バンド２割当用サーチスペースとして、単位バンド１の下り単位バンドのＰＤＣＣＨ５〜８を設定する。
【０１１４】
制御部１０２は、設定部１０１から入力される設定情報に示されるサーチスペースに関する情報基づいて、上りリソース割当情報および下りリソース割当情報を、端末毎に設定したサーチスペース内のＰＤＣＣＨに割り当てる。例えば、図１３および図１４では、制御部１０２は、単位バンド１におけるリソース割当情報を、図１３および図１４に示す単位バンド１割当用サーチスペース内のＰＤＣＣＨ１〜４（単位バンド１）のいずれかに割り当てる。また、制御部１０２は、単位バンド２におけるリソース割当情報を、図１３および図１４に示す単位バンド２割当用サーチスペース内のＰＤＣＣＨ５〜８（単位バンド２）に割り当てる。
【０１１５】
ここで、設定部１０１では、各端末に１つの端末ＩＤが設定される。よって、ＰＤＣＣＨ生成部１０３は、各端末宛てのリソース割当情報に付加するＣＲＣビットを、単位バンドによらず各端末に設定された端末ＩＤでマスキングする。
【０１１６】
端末２００のＰＤＣＣＨ受信部２０７（図２）は、自端末に設定されたサーチスペース内のＰＤＣＣＨのみをブラインド復号する。具体的には、ＰＤＣＣＨ受信部２０７は、図１３および図１４に示す単位バンド１割当用サーチスペース内のＰＤＣＣＨ１〜４のみをブラインド復号することにより、単位バンド１における自端末宛てのリソース割当情報を得る。同様に、ＰＤＣＣＨ受信部２０７は、図１３に示す単位バンド２割当用サーチスペース内のＰＤＣＣＨ５〜８（単位バンド２）、または、図１４に示す単位バンド２割当用サーチスペース内のＰＤＣＣＨ５〜８（単位バンド１）のみをブラインド復号することにより、単位バンド２における自端末宛てのリソース割当情報を得る。
【０１１７】
このように、本実施の形態によれば、基地局は、各端末に設定された単位バンド毎に互いに異なるサーチスペースを設定する。これにより、基地局では、上り回線のみで広帯域伝送を行う場合でも、１つの下り単位バンド内の異なるサーチスペースに、異なる単位バンドの上りリソース割当情報を割り当てることができる。よって、端末では、単位バンド毎のサーチスペースのみをブラインド復号することにより、各単位バンドのリソース割当情報を区別することができる。よって、本実施の形態によれば、実施の形態１と同様の効果を得ることができる。
【０１１８】
つまり、上り回線のみで広帯域伝送を行う場合、つまり、下り回線で狭帯域伝送を行う場合でも、端末では、狭帯域信号に含まれる複数の単位バンドの上りリソース割当情報をサーチスペースに基づいて区別することができる。よって、本実施の形態によれば、上り回線のみで広帯域伝送を行う場合でも、端末の消費電力を低減することができる。さらに、本実施の形態では、リソース割当情報に示されるリソース割当対象の単位バンドと異なる単位バンドに割り当てられる場合でも、端末は、どの上り単位バンドのリソース割当情報であるかをサーチスペースに基づいて区別することができる。よって、本実施の形態では、ＬＴＥシステムと同様、１つのリソース割当情報に、１つの単位バンド内のリソース割当（例えば、２０ＭＨｚの通信帯域内のＲＢ割当）のみを含むことにより、ＬＴＥシステムと同一のフォーマットを用いることができる。よって、本実施の形態によれば、基地局ではＰＤＣＣＨに割り当てるリソース割当情報に新たな情報を追加することなく、かつ、端末ではＰＤＣＣＨが送信されるサーチスペースを判別するため、ＬＴＥシステムと同様の処理を行うことができ、基地局および端末の処理を簡素化することができる。
【０１１９】
なお、本実施の形態では、基地局が、上り単位バンドの割当に用いるＰＤＣＣＨに対して、割当対象の単位バンドに応じて異なるサーチスペースを設定する場合について説明した。しかし、本発明では、複数の下り単位バンドが設定される場合には、基地局は、下り単位バンドの割当に用いるＰＤＣＣＨに対しても同様に割当対象の単位バンドに応じて異なるサーチスペースを設定してもよい。この場合、上り回線と下り回線とで処理を共通化できるので端末の簡素化が可能である。
【０１２０】
以上、本発明の各実施の形態について説明した。
【０１２１】
なお、本発明において、例えば、図１５に示すように３つの上り単位バンドおよび２つの上り単位バンドが端末に設定された場合、すなわち、上り単位バンドの数よりも少ない複数の下り単位バンドが設定された場合、リソース割当情報を割り当てる単位バンドが複数存在する。具体的には、図１５では、単位バンド１および単位バンド２の双方の下り単位バンドのＰＤＣＣＨをリソース割当情報の通知に用いることができる。ここで、上記実施の形態では、未設定の下り単位バンド（図１５では単位バンド３の下り単位バンド）と最も近い単位バンド（図１５では単位バンド２）を、未設定の下り単位バンドに対応付けられた上り単位バンドのリソース割当情報の通知に用いる場合について説明した。しかし、本発明では、未設定の下り単位バンドに対応付けられた上り単位バンドのリソース割当情報の通知に用いる単位バンドは、使用可能である単位バンド（図１５では単位バンド１および単位バンド２）に均等に割り当てられてもよい。これにより、リソース割当情報が特定の単位バンドに集中して割り当てられることを防ぐことができる。または、端末毎にどの単位バンドでリソース割当情報を通知するかを予め決定してもよい。例えば、端末に設定された端末ＩＤの下位ビットに応じて単位バンドを決定してもよい。これにより、リソース割当情報が割り当てられる単位バンドが分散されるため、リソース割当情報が特定の単位バンドに集中して割り当てられることを防ぐことができる。
【０１２２】
また、本発明では、端末ＩＤとしてＣ−ＲＮＴＩ（Cell-Radio Network Temporary Identifier）を用いてもよい。
【０１２３】
また、上記実施の形態では、基地局が制御情報に付加するＣＲＣビットを端末ＩＤでマスキング（スクランブリング）する場合について説明した。しかし、本発明では、基地局は、端末ＩＤに限らず、単位バンド毎に異なる系列でＣＲＣビットをマスキング（スクランブリング）してもよいし、端末ＩＤと単位バンド毎に異なる系列とを掛け合わせた系列でマスキングしてもよい。ここで、ＣＲＣビットのマスキング（スクランブリング）に端末ＩＤを用いることにより、ＬＴＥシステムと同一のＰＤＣＣＨ生成処理（または、ＰＤＣＣＨ受信処理）を行うことができる。ただし、ＣＲＣビットのマスキング（スクランブリング）に端末ＩＤ以外の系列を用いる場合でも、追加のマスキング（スクランブリング）処理が必要になるものの、その処理量はシステムに影響を与えるほど大きくないため、上記実施の形態と同様、簡易な基地局および端末を構成することができる。
【０１２４】
また、上記実施の形態では、基地局がＣＲＣビット（例えば、図１１に示すＣＲＣ部）にマスキング（スクランブリング）処理を施す場合について説明したが、本発明では、基地局は、ペイロード部（例えば、図１１に示すペイロード部）にマスキング（スクランブリング）処理を施してもよい。この場合、ＬＴＥと比較すると、ペイロード部でのマスキング（スクランブリング）処理が増えるものの、ペイロードサイズは数十ビットと短いので、端末における処理負担はほとんど増加しない。また、この場合でもＬＴＥと同一のＰＤＣＣＨを用いることができるため、簡素な構成の基地局および端末を構成することができる。
【０１２５】
本発明において、マスキング（スクランブリング）処理は、ビット間（すなわち、ＣＲＣビットと端末ＩＤ）の乗算でもよく、ビット同士を加算し、加算結果のｍｏｄ２（すなわち、加算結果を２で割ったときの余り）を算出してもよい。
【０１２６】
また、上記実施の形態では、基地局が、上り単位バンドで送信する上り回線データを割り当てるためのＰＤＣＣＨに対して、その上り単位バンドに応じた端末ＩＤでＣＲＣのマスキングを施す場合について説明した。しかし、本発明では、基地局は、複数の下り単位バンドが設定される場合には、上り単位バンドと同様にして、下り単位バンドで送信する下り回線データを割り当てるＰＤＣＣＨに対しても、下り単位バンドに応じた端末ＩＤでＣＲＣのマスキングを施してもよい。これにより、上り回線と下り回線とで処理を共通化できるので端末の簡素化が可能である。
【０１２７】
また、上記実施の形態では、単位バンドを、最大２０ＭＨｚの幅を持つ帯域であって、通信帯域の基本単位として定義する場合について説明した。しかし、単位バンドは、次のように定義されることもある。例えば、下り単位バンドは、基地局から報知されるＢＣＨ（Broadcast Channel）の中の下り周波数帯域情報によって区切られた帯域、または、ＰＤＣＣＨが周波数領域に分散配置される場合の分散幅によって定義される帯域として定義されることもある。また、上り単位バンドは、基地局から報知されるＢＣＨの中の上り周波数帯域情報によって区切られた帯域、または、中心付近にＰＵＳＣＨを含み、両端部にＰＵＣＣＨ（Physical Uplink Control Channel）を含む２０ＭＨｚ以下の通信帯域の基本単位として定義されることもある。
【０１２８】
また、上記実施の形態では、単位バンドの通信帯域幅を２０ＭＨｚとする場合について説明したが、単位バンドの通信帯域幅は２０ＭＨｚに限定されない。
【０１２９】
また、ＰＤＣＣＨで送信されるリソース割当情報はＤＣＩ（Downlink Control Information）と呼ばれることもある。
【０１３０】
また、バンドアグリゲーション（Band aggregation）は、キャリアアグリゲーション（Carrier aggregation）と呼ばれることもある。また、単位バンドは、単位キャリア（Component carrier）と呼ばれることもある。また、バンドアグリゲーションは、連続する周波数帯域を連結する場合に限らず、非連続な周波数帯域を連結してもよい。
【０１３１】
また、端末はＵＥ、基地局はNode BまたはBS（Base Station）と呼ばれることもある。また、端末ＩＤはＵＥ−ＩＤと呼ばれることもある。
【０１３２】
また、上記実施の形態では、本発明をハードウェアで構成する場合を例にとって説明したが、本発明はソフトウェアで実現することも可能である。
【０１３３】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３６】
２００８年８月１１日出願の特願２００８−２０７３６９の日本出願に含まれる明細書、図面および要約書の開示内容は、すべて本願に援用される。
【産業上の利用可能性】
【０１３７】
本発明は、移動体通信システム等に適用することができる。
【図１】
2014147136.tif 000003
【図２】
2014147136.tif 000004
【図３】
2014147136.tif 000005
【図４】
2014147136.tif 000006
【図５】
2014147136.tif 000007
【図６】
2014147136.tif 000008
【図７】
2014147136.tif 000009
【図８】
2014147136.tif 000010
【図９】
2014147136.tif 000011
【図１０】
2014147136.tif 000012
【図１１】
2014147136.tif 000013
【図１２】
2014147136.tif 000014
【図１３】
2014147136.tif 000015
【図１４】
2014147136.tif 000016
【図１５】
2014147136.tif 000017